(57)【要約】【課題】良好な電磁波シールド効果を有するものであるにも拘わらず、コンピューターからの発熱に基づく排熱の問題、キャビネット全体をより軽量にすることなどを可能にする電磁波シールドキャビネットを提供すること【解決手段】外周壁面として６面を有する方形状の形態を有し、かつキャビネット外周壁の６面が電磁波シールド材で構成されている電磁波シールドキャビネットであり、少なくとも対向する２つの周壁面がハニカム構造の電磁波シールド材で構成され、該ハニカム構造のハニカム孔を介して外周壁の内外間で通気可能な周壁面として構成されてなる電磁波シールドキャビネット。【選択図】なし【特許請求の範囲】
【請求項１】
外周壁面として６面を有する方形状の形態を有し、かつキャビネット外周壁の６面が電磁波シールド材で構成されている電磁波シールドキャビネットであり、少なくとも対向する２つの周壁面がハニカム構造の電磁波シールド材で構成され、該ハニカム構造のハニカム孔を介して外周壁の内外間で通気可能な周壁面として構成されてなることを特徴とする電磁波シールドキャビネット。
【請求項２】
ハニカム構造の電磁波シールド材で構成した通気可能な周壁面が、側面の周壁面４面のうちの対向する２つの周壁面であることを特徴とする請求項１記載の電磁波シールドキャビネット。
【請求項３】
ハニカム構造の電磁波シールド材で構成した通気可能な周壁面が、側面の周壁面４面の周壁面であることを特徴とする請求項１記載の電磁波シールドキャビネット。
【請求項４】
ハニカム構造の電磁波シールド材で構成した通気可能な周壁面が、外周壁の周壁面６面であることを特徴とする請求項１記載の電磁波シールドキャビネット。
【請求項５】
ハニカム構造の電磁波シールド材が、ハニカム孔の中心軸線が電磁波シールド材の平面方向と垂直に交わる方向にハニカム孔が開けられているものであることを特徴とする請求項１、２、３または４項記載の電磁波シールドキャビネット。
【請求項６】
ハニカム構造の電磁波シールド材が、ハニカム孔の中心軸線が電磁波シールド材の平面方向と斜めに交わる方向にハニカム孔が開けられているものであることを特徴とする請求項１、２、３または４項記載の電磁波シールドキャビネット。
【請求項７】
ハニカム構造の電磁波シールド材が、アルミニウム製のものであることを特徴とする請求項１、２、３、４、５または６項記載の電磁波シールドキャビネット。
【発明の詳細な説明】
【技術分野】
【０００１】
本発明は、コンピューター等の電子機器類を収納あるいは被覆して、内部の電子機器類が周辺からの電磁波の影響を受けないようにすることができる、あるいは、内部の電子機器類から発生される電磁波によって周辺環境に対して影響を与えることがないようにすることができる電磁波シールドキャビネットに関する。
【０００２】
本発明において、電磁波シールドキャビネットの「キャビネット」とは、厳密にキャビネットと称されるもの以外でも、箱状、函状、ボックス状、部屋状・ルーム状、ラック状あるいはケージ状のものなどを広く含んだ概念のものであり、その形状は、立方体状や直方体状等の実質的に方形状のものであればよく、外周壁面として六つの面を有して構成されたものを言うものである。
【０００３】
したがって、電磁波シールドボックス、電磁波シールドラック、電磁波シールドルームなども、本発明の電磁波シールドキャビネットに含まれ得る概念である。
【背景技術】
【０００４】
近年、各種電子機器関連技術の著しい進展とともに、コンピューター、携帯端末あるいは各種デジタル家電製品等の各種電子機器類が、官公庁や民間企業のビル内、家庭内さらには自動車などの交通車両内等にも設置・利用され、世の中に多く存在するようになっている。
【０００５】
このような状況のもと、これらの電子機器類を収納あるいは被覆して、内部の電子機器類が周辺からの電磁波の影響を受けないようにすることのできる、あるいは、内部の電子機器類から発生される電磁波によって周辺環境に対して影響を与えないようにすることのできる電磁波シールド技術についての要請も多くなっている。
【０００６】
最近では、それら電子機器類の近接した配置により、相互に電波妨害波の影響を受けて、これが電子機器類の誤作動の原因となる場合もあり、構成・構造が簡易で、シールド効果が確実でかつ大きい電磁波シールド技術の実現が望まれている。
【０００７】
一方、電子機器類を何らかの部材で囲ったりあるいは覆ったりとすると、通常は、隙間が存在しないために、コンピューターから発せられた熱は、例えば、上下に取り付けられたファンによって強制的に熱の排出を行わなければならないことになる。その排出孔には、通常、アルミハニカムコアを使用したベントパネルが使用されて、該アルミハニカムコアによってシールド性も維持されるようにされている。アルミハニカムコアは、良好な電磁波シールド効果を有する部材として知られているからである（特許文献１）。
【０００８】
しかし、年々、コンピューターの処理速度が速くなり、発熱量も多くなっている。そのため、発熱の排気性能に限界があるシールドラックは、不利となっている。
【０００９】
すなわち、従来、電磁波シールドの目的で使用されてきた上述キャビネット関係等のものとしては、例えば、フレームに鉄板を溶接して組み立てた簡易的なものや、あるいは、金網やハニカム、パンチメタル等の網状の電磁波シールド材を中間材として、その網目空間に樹脂を含浸させて外側と内側を一体的に構成した電磁波シールドボックスについての提案（特許文献２）、あるいは、プラスチックに銅等の金属をメッキした制御機器ケースについての提案（特許文献３）などがある。
【００１０】
しかし、これらのものは、密閉された構造のものであり、全体の重量のことや、内部での温度上昇という問題があったものであり、特に、温度上昇を防止するための工夫は特別にされていなかったものである。
【００１１】
また、一定の方向に二つの開口が設けられた一定厚みの金属から形成された上部本体と、少なくとも該一定の方向に一つの開口が設けられた一定厚みの金属から形成された下部本体とからなるシールドラックに関する提案がされており、通気孔部はハニカムシールドあるいは銅網で形成することなどが提案されている（特許文献４）。
【００１２】
しかしながら、このものは、全体の重量のことや、内部での温度上昇という点ではまだ不十分なものであった。
【００１３】
一方、専用に空調機を装備するキャビネットもあったが、空調機の故障率が高いために実際使用にあたっては、まだ不十分なものであった。
【特許文献１】特開平１０−２００２８９号公報
【特許文献２】特開２００２−１３４９７７号公報
【特許文献３】特開平８−２５０８８５号公報
【特許文献４】特開２００２−３４１９６２号公報
【発明の開示】
【発明が解決しようとする課題】
【００１４】
上述したような点に鑑み、本発明の目的は、良好な電磁波シールド効果を有するものであるにも拘わらず、コンピューターからの発熱に基づく排熱の問題を解決し、キャビネット全体をより軽量にすることなどを可能にする電磁波シールドキャビネットを提供することにある。
【課題を解決するための手段】
【００１５】
上述した目的を達成する本発明の電磁波シールドキャビネットは、以下の(1) の構成を有する。
（１）外周壁面として６面を有する方形状の形態を有し、かつキャビネット外周壁の６面が電磁波シールド材で構成されている電磁波シールドキャビネットであり、少なくとも対向する２つの周壁面がハニカム構造の電磁波シールド材で構成され、該ハニカム構造のハニカム孔を介して外周壁の内外間で通気可能な周壁面として構成されてなることを特徴とする電磁波シールドキャビネット。
【００１６】
さらに、かかる本発明の電磁波シールドキャビネットにおいて、具体的に好ましくは、以下の(2) 〜(7) の構成を有するものである。
（２）ハニカム構造の電磁波シールド材で構成した通気可能な周壁面が、側面の周壁面４面のうちの対向する２つの周壁面であることを特徴とする上記(1) 記載の電磁波シールドキャビネット。
（３）ハニカム構造の電磁波シールド材で構成した通気可能な周壁面が、側面の周壁面４面の周壁面であることを特徴とする上記(1) 記載の電磁波シールドキャビネット。
（４）ハニカム構造の電磁波シールド材で構成した通気可能な周壁面が、外周壁の周壁面６面であることを特徴とする上記(1) 記載の電磁波シールドキャビネット。
（５）ハニカム構造の電磁波シールド材が、ハニカム孔の中心軸線が電磁波シールド材平面方向と垂直に交わる方向にハニカム孔が開けられているものであることを特徴とする上記(1) 、(2) 、(3) または(4) 項記載の電磁波シールドキャビネット。
（６）ハニカム構造の電磁波シールド材が、ハニカム孔の中心軸線が電磁波シールド材平面方向と斜めに交わる方向にハニカム孔が開けられているものであることを特徴とする上記(1) 、(2) 、(3) または(4) 記載の電磁波シールドキャビネット。
（７）ハニカム構造の電磁波シールド材が、アルミニウム製のものであることを特徴とする上記(1) 、(2) 、(3) 、(4) 、(5) または(6) 記載の電磁波シールドキャビネット。
【発明の効果】
【００１７】
請求項１にかかる本発明によれば、良好な電磁波シールド効果を有するものであるにも拘わらず、コンピューターからの発熱に基づく排熱の問題を解決し、かつキャビネット全体をより軽量にすることなどを可能にする電磁波シールドキャビネットを提供できたものである。
【発明を実施するための最良の形態】
【００１８】
以下、更に詳しく、本発明の電磁波シールドキャビネットについて説明する。
【００１９】
本発明の電磁波シールドキャビネットは、外周壁面として６面を有する方形状の形態を有するものであり、実質的に正方形状あるいは直方体状などを呈するものである。
【００２０】
そして、キャビネット外周壁の６面のすべてが電磁波シールド材で構成されていて、かつ、少なくとも対向する２つの周壁面は、ハニカム構造の電磁波シールド材で構成されているものである。
【００２１】
本発明のキャビネットでは、該ハニカム構造のハニカム孔を介して、外周壁の内側と外側間で通気可能な周壁面として構成されているものである。
【００２２】
すなわち、このようにハニカム構造の電磁波シールド材を、少なくとも対向する２周壁面で用いたことにより、内部で電子機器が熱を発したとしても、ハニカム孔が持つ通気作用により内部での異常な温度上昇を良好に防止することができるようになる。対向する２周壁面を少なくともハニカム構造の電磁波シールド材で構成するのは、通気方向を直線状に確保するためである。
【００２３】
本発明において、ハニカム構造の電磁波シールド材で構成する通気可能な周壁面は、６つの周壁面の全てであることが、より軽量な本発明の電磁波シールドキャビネットを実現できるので好ましいが、６つの周壁面の全てを電磁波シールド材で構成しなくても良く、例えば、側面の周壁面４面のうちの対向する２つの周壁面、あるいは、側面の周壁面４面のうちの全周壁面としてもよい。少なくとも、側面の周壁面についてハニカム構造の電磁波シールド材で構成すると、電磁波シールドキャビネットの外側から内部の電子機器類を目視にて確認することができるので好ましい。また、内蔵機器の吸排気方向にハニカム構造のハニカム孔軸方向を揃えると、効率の良い排熱性能を付与することができる。
【００２４】
ただし、側面周壁面でなくても、少なくとも、上部面と下部面の対向する２つの周壁面をハニカム構造の電磁波シールド材で構成することも良く、そのようにすれば、加温されたキャビネット内の空気が自然に上部面のハニカム孔を通じて排気されることとなり、キャビネット内の温度上昇を防止できるので好ましい。
【００２５】
ハニカム構造の電磁波シールド材は、ハニカム孔の中心軸線が電磁波シールド材の平面方向と垂直に交わる方向にハニカム孔が開けられているものが一般的なものであるが、本発明では、そのようなハニカム構造の電磁波シールド材だけに限られず、ハニカム孔の中心軸線が電磁波シールド材の平面方向と斜めに交わる方向にハニカム孔が開けられているものを用いるようにしてもよい。このように構成することにより、シールド壁の厚さとして薄くても、より高いシールド効果を得ることができる。
【００２６】
ハニカム構造の電磁波シールド材において、ハニカム孔は、その横断面形状が厳密な六角形でなくてもよく、パンチメタルのような円形状、あるいは平行四辺形状、段ボールの孔のような連続かまぼこ形状、などの孔形状であってもよいものである。
【００２７】
本発明において、電磁波シールド材とは、電磁妨害波を通過させないものをいい、銅、アルミニウム、鉄、金属合金などの金属が代表的なものであり、ハニカム構造のもの以外の電磁波シールド材は、それら各種金属の板状物などで構成することができる。また、導電性ゴムや導電性プラスチック等の非金属材料であってもよいものである。
【００２８】
本発明者らの知見によれば、無電解ニッケルメッキを施したアルミニウム製のハニカム構造のものなどが、特に好ましいものである。
【００２９】
また、「ハニカム構造」とは、ハニーコウム（ハニカム）の他、金網、パンチングメタル、エキスパンドメタル等の多孔タイプや、メッシュのような形態のものであってもよい。また、場合によっては、プレート（平板）状の電磁波シールド材を使用して該プレートには数ケ所の貫通孔を設けたものであってもよい。中では、特に十分な強度を保ちながら軽量な構造を達成するために、該ハニカム構造は、断面六角形のハニカムであることが好ましい。
【００３０】
ハニカム構造の電磁波シールド材は、その厚さが好ましくは０．５ｍｍ〜２０ｍｍ、孔面積はセル寸法として０．５ｍｍ〜１５ｍｍであることが好ましい。また、該電磁波シールド材の厚さとセル寸法の関係が、厚さ≧セル寸法の関係を満足するものが好ましい。
【００３１】
また、シールド材の面積１ｍ2 当たりの開孔面積は、全体に対する開口部の合計面積の面積比率として表されるべきものであるが、排熱性を考慮して好ましくは２０％以上、取り付け部分および剛性の確保の見地から好ましくは９０％以下である。
【００３２】
本発明の電磁波シールドキャビネットは、電子機器類を使用するにあたり、そのまま収納、収蔵する態様で使用される他、例えば、よりサイズの小さな電磁波シールドボックスに収納されている電子機器類を該電磁波シールドボックスに収納したまま、本発明の電磁波シールドキャビネットに更に収納するような使用の仕方も可能なものである。
【００３３】
また、本発明の電磁波シールドキャビネットは、計算機室において良く採用されているフロア空調システムにも使用されるものである。